(57)【特許請求の範囲】
【請求項１】
アップリンクスケジューリング情報および送信電力制御（ＴＰＣ）情報の両方を含むダウンリンク制御情報を受信するように構成される回路であって、前記アップリンクスケジューリング情報は、ＭＣＳ（modulation and coding set）情報を含む、回路と、
物理アップリンクチャネルの送信電力レベルを測定されたパスロス、前記ＴＰＣ情報および前記ＭＣＳ情報、並びに重み付け係数αに少なくとも基づいて決定するようにさらに構成される前記回路であって、αは０から１までの値を有し、および前記測定されたパスロスに乗算される、前記回路と、
前記スケジューリング情報および前記決定された送信電力レベルに基づいて前記物理アップリンクチャネルで送信のための信号を出力するように構成される前記回路と
を備えることを特徴とする集積回路。
【請求項２】
前記物理アップリンクチャネルは、物理アップリンク共有チャネル（ＰＵＳＣＨ）であることを特徴とする請求項１に記載の集積回路。
【請求項３】
前記決定された送信電力レベルは、閉ループ電力制御係数に少なくとも部分的に基づくことを特徴とする請求項１に記載の集積回路。
【請求項４】
前記決定された送信電力レベルは、最大送信電力レベルに基づくことを特徴とする請求項１に記載の集積回路。
【請求項５】
前記物理アップリンクチャネルは、物理アップリンク制御チャネル（ＰＵＣＣＨ）であり、および前記決定された送信電力レベルは、前記ＰＵＣＣＨのチャネル品質指標（ＣＱＩ）情報に関連付けられる品質係数にさらに基づくことを特徴とする請求項１に記載の集積回路。
【請求項６】
アップリンクスケジューリング情報および送信電力制御（ＴＰＣ）情報の両方を含むダウンリンク制御情報を生成することであって、前記アップリンクスケジューリング情報は、ＭＣＳ（modulation and coding set）情報を含む、ことと、
前記ダウンリンク制御情報を送信することと、
電力レベルで送信された情報に基づく情報を物理アップリンクチャネル上で受信することであって、前記電力レベルは、測定されたパスロス、前記ＴＰＣ情報および前記ＭＣＳ情報に少なくとも基づき、前記決定された送信電力レベルは、重み付け係数αにさらに基づき、αは、０から１までの値を有し、および前記測定されたパスロスに乗算される、ことと、
を備えることを特徴とするｅ−ＮｏｄｅＢ。
【請求項７】
前記物理アップリンクチャネルは、物理アップリンク共有チャネル（ＰＵＳＣＨ）であることを特徴とする請求項６に記載のｅ−ＮｏｄｅＢ。
【請求項８】
前記決定された送信電力レベルは、閉ループ電力制御係数に少なくとも部分的に基づくことを特徴とする請求項６に記載のｅ−ＮｏｄｅＢ。
【請求項９】
前記決定された送信電力レベルは、最大送信電力レベルに基づくことを特徴とする請求項６に記載のｅ−ＮｏｄｅＢ。
【請求項１０】
前記物理アップリンクチャネルは、物理アップリンク制御チャネル（ＰＵＣＣＨ）であることを特徴とする請求項６に記載のｅ−ＮｏｄｅＢ。
【請求項１１】
前記決定された送信電力レベルは、前記ＰＵＣＣＨのチャネル品質指標（ＣＱＩ）情報に関連付けられる品質係数にさらに基づくことを特徴とする請求項１０に記載のｅ−ＮｏｄｅＢ。
【発明の詳細な説明】
【技術分野】
【０００１】
本発明は、無線通信システムに関する。
【背景技術】
【０００２】
Ｅ−ＵＴＲＡ（evolved universal terrestrial radio access）アップリンク（ＵＬ：uplink）では、複数の送信電力制御（ＴＰＣ）の提案が、第３世代パートナーシッププロジェクト（３ＧＰＰ）のＬＴＥ（long term evolution）ワークグループ１（ＷＧ１）に提出されている。これらの提案は一般に、（遅い）開ループＴＰＣ、並びに遅い閉ループＴＰＣまたはチャネル品質情報（ＣＱＩ：channel quality information）ベースのＴＰＣに分けることができる。
【０００３】
開ループＴＰＣは、パスロス（pathloss）測定およびシステムパラメータに基づく。この場合、パスロス測定は無線送受信装置（ＷＴＲＵ）で実施され、システムパラメータは進化型Ｎｏｄｅ  Ｂ（ｅＮｏｄｅＢ：evolved Node-B）によって提供される。
【０００４】
閉ループＴＰＣは一般に、ｅＮｏｄｅＢから周期的に送信されるＴＰＣフィードバック情報（例えば、ＴＰＣコマンド）に基づく。この場合、フィードバック情報は一般に、ｅＮｏｄｅＢで測定された信号対干渉雑音比（ＳＩＮＲ：signal-to-interference noise ratio）を使用して導出される。
【０００５】
開ループＴＰＣは、長期的なチャネル変化（例えばパスロスおよびシャドウイング）を効果的なやり方で、例えば送信電力の履歴なしに補償することができる。しかし、開ループＴＰＣは一般に、パスロス測定誤差および送信電力設定誤差をもたらす。もう一方で、遅い閉ループＴＰＣまたはＣＱＩベースＴＰＣは、ｅＮｏｄｅＢから知らされた（signal）フィードバックに基づくので、測定および送信電力設定の誤差にそれほど敏感ではない。しかし、遅い閉ループＴＰＣまたはＣＱＩベースＴＰＣは、ＵＬ送信休止のせいでフィードバック情報が得られず、あるいはフィードバック送信の休止またはチャネル変化が非常に動的である場合には、性能を劣化させる。
【発明の概要】
【０００６】
Ｅ−ＵＴＲＡ  ＵＬでは、ＴＰＣは、少なくともパスロスおよびシャドウイングを補償し、かつ／または干渉を緩和すると考えられている。干渉緩和を伴う、開ループＴＰＣ方式と閉ループＴＰＣを組み合わせた拡張型ＵＬ  ＴＰＣ方式が開示される。閉ループＴＰＣは、ＣＱＩ（例えばＵＬ許可情報（UL grant information）や変調符号化セット（ＭＣＳ：modulation and coding set）情報）に基づく。この拡張型ＵＬ  ＴＰＣ方式は、ＵＬデータチャネルと制御チャネルの両方に使用することができる。また、提案されたこの拡張型ＵＬ  ＴＰＣ方式は、Ｅ−ＵＴＲＡ  ＵＬ要件を達成するために、動的なシステム／リンクパラメータおよびチャネル状態に対して柔軟であり、それに適応することができる。
【０００７】
さらに、チャネルおよびＣＱＩ推定がＵＬ参照信号に基づく場合、不適切なＵＬチャネルおよびＣＱＩ推定を回避するために、データチャネル用のＵＬ  ＴＰＣが１００Ｈｚなどの遅いレートで実施される（すなわち１つまたは２つのハイブリッド自動再送要求（ＨＡＲＱ：hybrid automatic repeat request）サイクル期間ごとに１回のＴＰＣ更新が行われる）ことが提案されている。データ関連制御シグナリングでは、ＴＰＣ更新レートは、１ミリ秒の送信時間間隔（ＴＴＩ：transmission timing interval）につき１回の最大ＣＱＩ報告レートを想定して、１０００Ｈｚに増加され得る。
【図面の簡単な説明】
【０００８】
上記要約並びに下記の詳細な説明は、添付図面を参照して読めばよりよく理解される。
【図１】ＷＴＲＵとｅＮｏｄｅＢとを含む無線通信システムを示す図である。
【図２】図１のシステムによって実施されるＴＰＣ手順のフローチャートである。
【発明を実施するための形態】
【０００９】
本明細書で言及される場合、用語「無線送受信装置（ＷＴＲＵ：wireless transmit/receive unit）」には、限定の意味ではないが、ユーザ装置（ＵＥ：user equipment）、移動局、固定または移動加入者装置、ページャー、携帯電話、ＰＤＡ（personal digital assistant）、コンピュータ、あるいは無線環境で動作可能な他の任意のタイプのユーザ装置が含まれる。また、用語「進化型Ｎｏｄｅ  Ｂ（ｅＮｏｄｅＢ）」には、限定の意味ではないが、基地局、Ｎｏｄｅ  Ｂ、セル、サイトコントローラ、アクセスポイント（ＡＰ）、あるいは無線環境で動作可能な他の任意のタイプのインターフェース接続装置が含まれる。
【００１０】
図１は、少なくとも１つのＷＴＲＵ  １０５と少なくとも１つのサービス側ｅＮｏｄｅＢ  １１０とを含む無線通信システム１００を示している。ＷＴＲＵ  １０５は、受信機１１５と、送信機１２０と、プロセッサ１２５と、少なくとも１つのアンテナ１３０とを含む。サービス側ｅＮｏｄｅＢ  １１０は、送信機１３５と、受信機１４０と、プロセッサ１４５と、マッピングテーブル１５０と、少なくとも１つのアンテナ１５５とを含む。ＷＴＲＵ  １０５およびｅＮｏｄｅＢ  １１０は、ダウンリンク（ＤＬ：downlink）制御チャネル１６０、ＵＬ共有データチャネル１６５およびＵＬ制御チャネル１７０を介して通信する。
【００１１】
ｅＮｏｄｅＢ  １１０内のプロセッサ１４５は、受信機１４０によって受信された信号に基づいて、ＵＬ干渉／熱雑音（ＩｏＴ：interference over thermal noise）測定を実施し、測定されたＩｏＴ測定値を、事前定義された閾値と比較する。プロセッサ１４５は、ｅＮｏｄｅＢ  １１０の送信機１３５によってブロードキャストされる干渉負荷指標を定期的に、またはトリガベースで生成する。干渉負荷指標は、ｅＮｏｄｅＢ  １１０で実施されたＩｏＴ測定が、事前定義された閾値を超えるかどうか示す。ＷＴＲＵ  １０５内の受信機１１５が干渉負荷指標を受信し復号するとき、ＷＴＲＵ  １０５内のプロセッサ１２５は、ｅＮｏｄｅＢ  １１０のＩｏＴの状況を決定することができ、そのＩｏＴの状況は、ｅＮｏｄｅＢ  １１０のセル間干渉を緩和するために使用することができる。
【００１２】
ＷＴＲＵ  １０５は、特定のセル内に位置する間、システムパラメータおよびパスロス測定値に基づいて開ループＴＰＣを実施する。ＷＴＲＵ  １０５は、他の隣接セルに比べて、特定のセルに隣接した最も強いセル内に位置するｅＮｏｄｅＢ  １１０のセル間干渉を緩和するために、干渉負荷指標を利用する。最も強いセルは、ＷＴＲＵ  １０５が最も高いパス利得（すなわち最小のパスロス）を有するセルを指す。次いで、ＷＴＲＵ  １０５は、開ループ誤差を補償するために、ＤＬ制御チャネル１６０を介して受信されたＣＱＩ、および目標ＳＩＮＲに従って、開ループ誤差によりバイアスが生じ得るその計算された開ループベースの送信電力を補正する。
【００１３】
ＣＱＩは、ＵＬリンク適応のためにｅＮｏｄｅＢ  １１０がＤＬ制御チャネル１６０を介してＷＴＲＵ  １０５に知らせるＵＬ許可情報（またはＭＣＳ）を指すことに留意されたい。ＣＱＩは、サービス側ｅＮｏｄｅＢ  １１０がＤＬ制御チャネル１６０でＷＴＲＵ  １０５にフィードバックするＷＴＲＵ特有のＵＬチャネル品質を表す。Ｅ−ＵＴＲＡでは、ＣＱＩは、ＵＬ許可情報の形で提供される。目標ＳＩＮＲは、ｅＮｏｄｅＢ  １１０によって決定され、より高い層のシグナリングによってＷＴＲＵ  １０５に知らされる（signal）ＷＴＲＵ特有のパラメータである。
【００１４】
ＵＬ共有データチャネル１６５のＷＴＲＵ  １０５の送信電力、ＰTxは、ｅＮｏｄｅＢ  １１０の送信機１３５によって送信されたＤＬ参照信号１７５に基づいて、初期送信段階に決定される。ＤＬ参照信号１７５は、ＷＴＲＵ  １０５がパスロス測定に使用する既知の送信電力を有する。セル内ＴＰＣでは、ＷＴＲＵ  １０５の初期送信電力、ＰTxは、次式のように、開ループＴＰＣに基づいて定義される。
ＰTx＝ｍａｘ（ｍｉｎ（ＳＩＮＲT＋ＰＬ＋ＩＮ0＋Ｋ，Ｐmax），Ｐmin）
数式（１Ａ）
ただし、ＳＩＮＲTは、サービス側ｅＮｏｄｅＢ  １１０のｄＢ単位の目標信号対干渉雑音比（ＳＩＮＲ）であり、ＰＬは、サービス側ｅＮｏｄｅＢ  １１０からＷＴＲＵ  １０５までのシャドウイングを含めたｄＢ単位のパスロス（すなわち設定点パラメータ）である。ＷＴＲＵ  １０５は、その送信電力がＤＬシグナリングによってＷＴＲＵ  １０５において知られているＤＬ参照信号１７５に基づいて、パスロスを測定する。値ＩＮ0は、サービス側ｅＮｏｄｅＢ  １１０のｄＢｍ単位のＵＬ干渉および雑音電力である。Ｋは、実際にはＤＬ参照信号１７５の電力が実際の送信電力からオフセットされ得るという事実を考慮して、サービス側ｅＮｏｄｅＢ  １１０のために使用される電力制御マージンである。ＰmaxおよびＰminは、ＵＬ共有データチャネル１６５を介してＷＴＲＵ  １０５によって行われる送信のそれぞれ最大および最小の送信電力レベル（ｄＢｍ）である。
【００１５】
ＷＴＲＵ  １０５（またはＷＴＲＵのサブグループ）の目標ＳＩＮＲは、サービス側ｅＮｏｄｅＢ  １１０で特定のメトリックに従って調整可能であると見なされる。目標ＳＩＮＲ調整のために、アウターループＴＰＣ方式が使用されてもよい。一般に、目標ＳＩＮＲは、ＵＬ共有データチャネル１６５の目標リンク品質（例えばブロック誤り率（ＢＬＥＲ））に基づいて決定される。さらに、それぞれ異なるマルチパスフェージングチャネル状態には一般に、所与の目標リンク品質（例えばＢＬＥＲ）に対してそれぞれ異なる目標ＳＩＮＲが必要である。したがって、このメトリックは、ＷＴＲＵ  １０５への目標リンク品質（および恐らくフェージングチャネル状態）を含む。
【００１６】
ＵＬ  ＭＩＭＯ（multiple input multiple output）の場合、目標ＳＩＮＲは、それぞれ異なるＭＩＭＯモードには所与のリンク品質（例えばＢＬＥＲ）に対してそれぞれ異なる電力またはＳＩＮＲが必要であるという事実を考慮して、選択されたＭＩＭＯモードにも依存する。この場合、ＷＴＲＵ  １０５は、複数のアンテナ１３０を含んでもよい。
【００１７】
あるいは、セル間ＴＰＣを含めて、ＷＴＲＵ  １０５の送信電力、ＰTxは、次式のように、定義されてもよい。
ＰTx＝ｍａｘ（ｍｉｎ（ＳＩＮＲT＋ＰＬ＋ＩＮ0＋Ｋ＋Δ（ＩｏＴs），Ｐmax），Ｐmin）                                                            数式（１Ｂ）
ただし、値Δ（ＩｏＴs）は、最も強い（Ｓ）隣接セルのＵＬ干渉負荷指標（ＩｏＴs）の関数であるＵＬ負荷制御ステップサイズを表す。
【００１８】
Δ（ＩｏＴs）は、次式のように整数値をとる。
【００１９】
【数１】
0005271854.tif 000002
【００２０】
ただし、δは、事前定義されたシステムパラメータ、例えばδ＝−１または−２ｄＢである。Δ（ＩｏＴs）を使用すると、隣接セルのセル間干渉を緩和することができる。セル中心のＷＴＲＵは、セルの端のＷＴＲＵよりも小さい干渉を他のセルに与えるので、負荷制御ステップサイズの小数部は、次式のように考えられる。ただし、ｘは、小数のセル間負荷制御係数である。
【００２１】
【数２】
0005271854.tif 000003
【００２２】
最も強い隣接セルは、ＷＴＲＵ  １０５で、個々の隣接セルからＷＴＲＵ  １０５までのパスロス測定値に基づいて決定され、ただし、最も強い隣接セルは、ＷＴＲＵ  １０５が、それによるサービスを現在受けているセルに隣接するセルのうちで最も小さいパスロスを有する隣接セルである。
【００２３】
Δ（ＩｏＴs）は、特に最も強い隣接セルに対してセル間干渉（例えばセル間ＴＰＣ）を緩和するために取り入れられる。セル間ＴＰＣについて、ｅＮｏｄｅＢは、（定期的にまたは周期的に）ＵＬ干渉を測定し、次いで、測定された干渉レベルが、事前定義された閾値を超えるかどうか判断する。ＵＬ干渉に関する結果の状況は、ＩｏＴs（すなわち負荷指標）を使用してｅＮｏｄｅＢ  １１０から（定期的に、またはトリガベースで）ブロードキャストされる。例えば、干渉が閾値を超える場合は、ＩｏＴsは１に設定され、それによって、ｅＮｏｄｅＢ  １１０は、ＵＬでｅＮｏｄｅＢ  １１０が過度のセル間干渉を受けるので、隣接セル内のＷＴＲＵにその送信電力を特定の量だけ減少させるように命じる。そうでない場合は、ＩｏＴsは、０に設定され、それによって、ｅＮｏｄｅＢ  １１０は現在のＵＬ干渉レベルを受け入れ、したがって隣接セルのＷＴＲＵは、その送信電力の減少を必要としない。ＷＴＲＵ  １０５は、最も強い隣接セルから受信された負荷指標を復号し、次いで、コマンド（ＩｏＴs）に従う。ＩｏＴsが１と復号される場合は、ＷＴＲＵ  １０５の送信電力はΔ（ＩｏＴs）だけ減少され、すなわち、Δ（ＩｏＴs）＜０ｄＢである。ＩｏＴsが０と復号される場合は、Δ（ＩｏＴs）＝０ｄＢである。
【００２４】
それぞれのセルは、（高速アップリンクパケットアクセス（ＨＳＵＰＡ：high speed uplink packet access）の相対的許可（relative grant）と類似して）ＵＬ干渉負荷ビットを周期的にブロードキャストし、したがって、ＷＴＲＵ  １０５は、選択された最も強い隣接セルからの指標ビットを復号することができると見なされる。ＷＴＲＵ  １０５は、そのサービス側セルと最も強い隣接セルとのパスロス比に基づいて、ＷＴＲＵ  １０５がセルの端にいるか、それともセル内部にいるか判断してもよい。あるいは、小数のセル間負荷制御係数ｘは、次式のように定義することができる。
【００２５】
【数３】
0005271854.tif 000004
【００２６】
ＷＴＲＵ  １０５が（ランダムアクセスチャネル（ＲＡＣＨ：random access channel）処理に類似して）電源投入直後に、またはセッション接続が確立された後にそのＴＰＣを実施し始める初期送信段階の後、ＷＴＲＵ送信電力は、次式のように計算される。
ＰLx＝ｍａｘ（ｍｉｎ（ＳＩＮＲT＋ＰＬ＋ＩＮ0＋Ｋ＋α・ｆ（ＣＱＩ，ＳＩＮＲT），Ｐmax），Ｐmin）                                                数式（５）
ただし、ｆ（ＣＱＩ，ＳＩＮＲT）は、ＵＬ  ＣＱＩ（例えばＵＬ許可情報やＭＣＳ情報）、および対応する目標ＳＩＮＲに基づく閉ループ補正係数である。重み付け係数αは、０≦α≦１として、チャネル状態およびＣＱＩ使用可能性（またはＵＬ送信休止）に従って決定され得る。例えば、スケジューリングされたＵＬデータ送信がないためにｅＮｏｄｅＢ  １１０からＵＬ  ＣＱＩ（ＵＬ許可やＭＣＳ情報）が得られない場合は、重み付け係数αは０に設定される。そうでない場合は、重み付け係数αは１に設定される。単純にするために重み付け係数αがここでは０または１に設定されているが、代替実施形態は、チャネル状態およびＵＬ／ＤＬチャネル構成に適応される適応可能なα値を含む。
【００２７】
補正係数（ｆ（ＣＱＩ，ＳＩＮＲT））は、主に周波数分割複信（ＦＤＤ：frequency division duplex）のＵＬおよびＤＬの不完全な相互関係によるパスロス測定誤差、および非線形の電力増幅によるＷＴＲＵ  １０５の送信機１２０の不具合を含めて、開ループＴＰＣ関連誤差を補償するために使用される。設定点パラメータであるパスロスに加えて、ｅＮｏｄｅＢ  １１０は、やはり設定点パラメータであるＳＩＮＲ、ＩＮ0およびＫなどのＴＰＣ関連システムパラメータを調整するために補正係数を使用してもよい（facilitate）。例えば、ｅＮｏｄｅＢ  １１０は、所与のＷＴＲＵ  １０５の目標ＳＩＮＲを調整し、次いでＷＴＲＵ  １０５に調整について知らせる必要がある場合、ＷＴＲＵ  １０５に目標ＳＩＮＲを直接知らせるのではなく、ＷＴＲＵ  １０５へのＣＱＩ（ＵＬ許可）をそれに応じて調整してもよい。補正係数は、ＵＬ  ＣＱＩがｅＮｏｄｅＢ  １１０で受信されたＳＩＮＲを表すという事実を考慮して、サービス側ｅＮｏｄｅＢ  １１０からのＵＬ  ＣＱＩ（ＵＬ許可やＭＣＳ情報）フィードバックに従ってＷＴＲＵ  １０５によって計算される。例えば、
ｆ（ＣＱＩ，ＳＩＮＴT）＝ＳＩＮＲT−Ｅ｛ＳＩＮＲest（ＣＱＩ）｝（ｄＢ）
数式（６）
ただし、ＳＩＮＲest（ＣＱＩ）は、ＷＴＲＵ  １０５がＵＬ  ＣＱＩフィードバックから導出する、ｅＮｏｄｅＢによって受信されるＳＩＮＲの推定値を表す。Ｅ｛ＳＩＮＲest（ＣＱＩ）｝は、
Ｅ｛ＳＩＮＲest（ＣＱＩk）｝＝ρ・Ｅ｛ＳＩＮＲest（ＣＱＩk-1）｝＋（１−ρ）・Ｅ｛ＳＩＮＲest（ＣＱＩk）｝                                    数式（７）
となるような推定ＳＩＮＲの経時的な平均値であり、ただし、ＣＱＩkは第ｋの受信ＣＱＩであり、ρは平均フィルタ係数、０≦ρ≦１である。
【００２８】
目標ＳＩＮＲと推定ＳＩＮＲの差によって上記で与えられた補正係数（報告されたＣＱＩから導出される）は一般に、補償する必要がある開ループＴＰＣ関連の誤差を表す。
【００２９】
提案されたＴＰＣ方式のためのｅＮｏｄｅＢシグナリング
ＷＴＲＵ（またはＷＴＲＵのサブグループ）特有のパラメータである目標ＳＩＮＲレベル、ＳＩＮＲTは、ｅＮｏｄｅＢ  １１０によって、ｅＮｏｄｅＢ  １１０からＷＴＲＵ  １０５までの距離（例えばパスロス）、および／またはＢＬＥＲなどの所与の品質要件の関数としてＷＴＲＵ  １０５に知らされてもよい。一般にｅＮｏｄｅＢ  １１０は、目標品質（例えばＢＬＥＲ）を目標ＳＩＮＲ値にマッピングするためにマッピングテーブル１５０を使用する。こうしたマッピングテーブルがどのように生成されるかは、ｅＮｏｄｅＢ（または通信事業者）の独自の（proprietary）方式である。目標ＳＩＮＲは、アウターループ機構によって調整されてもよい。目標ＳＩＮＲのシグナリングは、その調整が行われると、インバンドＬ１／２制御シグナリングによって行われる。
【００３０】
主としてＤＬ参照信号に使用されるｅＮｏｄｅＢに特有のパラメータである電力制御マージン、Ｋは、ｅＮｏｄｅＢ  １１０によってＷＴＲＵ  １０５に知らされてもよい。例えば、ＤＬ参照信号１７５は、より高い層のシグナリングによってＷＴＲＵで知られている一定の送信電力レベルで送信されるので、ＷＴＲＵ  １０５のパスロス測定に使用される。しかし、ＤＬ参照信号１７５の実際の送信電力は、ｅＮｏｄｅＢの独自の方式のせいで、知らされた電力値と異なることがある。この場合、電力オフセットは、実際に使用された送信電力と、ブロードキャストチャネル（ＢＣＨ：broadcast channel）を介して半静的に知らされた送信電力との間で行われる。Ｋは、半静的であり、ブロードキャストチャネル（ＢＣＨ）を介して知らされる可能性が高い。ＷＴＲＵ  １０５は、ＵＬ／ＤＬパスロス計算のためにこの情報を使用する。電力制御マージン、Ｋは、他のパラメータと共に別個に知らされるとしても、
ＳＩＮＲT（組込み後）＝ＳＩＮＲT＋Ｋ（ｄＢ）                      数式（８）
となるように、目標ＳＩＮＲ、ＳＩＮＲTに組み込まれていてもよいことに留意されたい。この場合、ＫをＷＴＲＵ  １０５に明示的に知らせる必要はない。
【００３１】
総ＵＬ干渉、および使用中の副搬送波（または無線ベアラ（ＲＢ：radio bearer））のすべて、または副搬送波のサブセットにわたって平均された雑音レベル、ＩＮ0、が、ｅＮｏｄｅＢ  １１０によってＷＴＲＵ  １０５に知らされてもよい。これは、ｅＮｏｄｅＢ  １１０によって測定／導出される（また恐らくＢＣＨを介して知らされる）。このシグナリングの更新レートは一般に、比較的に遅い。ｅＮｏｄｅＢ  １１０は、雑音推定技術など、ｅＮｏｄｅＢの独自方式を使用してＩＮ0を定期的に測定／推定する。
【００３２】
最大および最小のＵＬ送信電力レベル、ＰmaxおよびＰminは、ｅＮｏｄｅＢ  １１０によってＷＴＲＵ  １０５に知らされてもよい。これらは、ＷＴＲＵ能力に依存したパラメータであってもよく、ｅＮｏｄｅＢ  １１０によって明示的に知らされてもよい。
【００３３】
元来ＵＬリンク適応（例えば適応変調符号化（ＡＭＣ：adaptive modulation and coding））のために知らされるＵＬ  ＣＱＩ（例えばＵＬ許可情報やＭＣＳ情報）が、（ＴＴＩにつき１度の最大シグナリングレート、例えば１０００Ｈｚで）ｅＮｏｄｅＢ  １１０によってＷＴＲＵ  １０５に知らされてもよい。
【００３４】
ＵＬ  ＣＱＩ（例えばＵＬ許可情報）は、ｅＮｏｄｅＢ  １１０がＷＴＲＵ  １０５に知らせるＷＴＲＵ特有のフィードバック情報である。ＵＬ  ＣＱＩは、元来ＵＬリンク適応のために使用されていたが、提案された結合型開ループ／閉ループＴＰＣの閉ループコンポーネントにも使用される。一般に、ＣＱＩ（ＵＬ許可）は、ＵＬチャネル状態（例えばｅＮｏｄｅＢ  １１０のＳＩＮＲ測定）、およびＳＩＮＲ−ＣＱＩマッピング規則に基づいて導出され、すなわちＵＬ  ＣＱＩが、ｅＮｏｄｅＢ  １１０で測定されたＳＩＮＲを表すことを意味する。したがって、ＷＴＲＵ  １０５がＣＱＩを受信し、ｅＮｏｄｅＢ  １１０でＳＩＮＲ−ＣＱＩマッピングに使用されるマッピング規則を与えられると、ＷＴＲＵ  １０５は、受信されたＣＱＩをＳＩＮＲ推定値に解釈することができる。推定されたＳＩＮＲは、数式（６）に従って補正項を計算するために使用される。
【００３５】
ｅＮｏｄｅＢ  １１０がＣＱＩフィードバック生成のために使用するＣＱＩマッピング規則（ＣＱＩと、測定されたＳＩＮＲとの間のバイアス）が、ｅＮｏｄｅＢ  １１０によってＷＴＲＵ  １０５に知らされてもよい。この規則またはパラメータを組み合わせて、目標ＳＩＮＲにしてもよい。この場合、規則（またはパラメータ）の明示的なシグナリングは必要ない。
【００３６】
上記ＴＰＣ方式は、ＷＴＲＵに低いレートでブロードキャストする（または直接知らせる）ことができる目標ＳＩＮＲ、セル干渉／雑音レベル、参照信号送信電力および一定値を含めて、上記にリストされたシステムパラメータ以外の追加のフィードバックＴＰＣコマンドを必要としないので有利である。さらに、上記のＴＰＣ方式は、Ｅ−ＵＴＲＡ要件を達成するために、動的システム／リンクパラメータ（目標ＳＩＮＲおよびセル間干渉負荷状態）、およびチャネル状態、（パスロスおよびシャドウイング）に対して柔軟であり、それに適応できるように設計される。さらに、上記のＴＰＣ方式は、ＡＭＣ、ＨＡＲＱなどの他のリンク適応方式、および適応ＭＩＭＯと互換性がある。
【００３７】
本明細書に提案された方式がＥ−ＵＴＲＡ  ＵＬ用の提案された結合型開ループ／閉ループＴＰＣの閉ループコンポーネント（例えば補正係数）のためにＵＬ  ＣＱＩ（例えばＵＬ許可情報）を使用するとしても、別法として、ｅＮｏｄｅＢ  １１０は、ＵＬ許可情報に組み込まれた補正コマンドをＷＴＲＵ  １０５に明示的に知らせてもよい。この場合、ＷＴＲＵ  １０５は、（恐らくＵＬ  ＣＱＩと組み合わされた）閉ループ補正係数のために、明示的に知らされた補正コマンドを使用してもよい。さらに、提案されたＴＰＣは、サービス側ｅＮｏｄｅＢ  １１０が他のセルとセル間干渉レベルを調整し、目標ＳＩＲまたは恐らくＰmaxをそれに応じて調整することによってそれを組み込む場合、セル間干渉緩和に使用されてもよい。
【００３８】
（ＵＬデータ／制御シグナリング復調のための）正確なＵＬチャネル推定、および（ＵＬスケジューリングおよびリンク適応のための）ＣＱＩ推定では、不適切なチャネルおよび／またはシステム状態にできるだけ速く対処するために比較的に速いレートでＵＬ参照信号送信電力を調整することが望ましい。データチャネル用の上記に提案されたＵＬ  ＴＰＣが遅いレートでＷＴＲＵ送信電力を更新する（１ミリ秒ＴＴＩごとのＵＬ  ＡＭＣを考慮する）としても、不適切なＵＬチャネルおよびＣＱＩ推定を回避するために、１００Ｈｚほどの速さの更新レート（例えば１つまたは２つのＨＡＲＱサイクル期間ごとに１回の更新）が実施され得る。更新レートは、好ましくはＣＱＩが受信されるたびにＷＴＲＵ  １０５が更新することができるように、ＷＴＲＵ  １０５によって制御される。
【００３９】
ＵＬ制御シグナリングでは、ＷＴＲＵ  １０５は、以下の偏差を有する上記の結合型ＴＰＣ方式を使用する。ＵＬ  ＣＱＩが、１ミリ秒のＴＴＩにつき１回の最大ＣＱＩ報告レートで使用可能な場合、速いＴＰＣ更新レート（例えば１０００Ｈｚ）が使用される。この場合、数式（５）の補正係数（ｆ（ＣＱＩ，ＳＩＮＲT））は、次式のように表現することができる。
ｆ（ＣＱＩ，ＳＩＮＲT）＝ＳＩＮＲT−ＳＩＮＲest（ＣＱＩ）（ｄＢ）
数式（９）
ただし、ＣＱＩは一番最近のＵＬ  ＣＱＩである。さらに、重み付け係数は、１に等しく設定される（α＝１）。これによって、結合型開ループ／速いＣＱＩベースＴＰＣがもたらされる。ＵＬ  ＣＱＩが使用可能でない場合は、ＣＱＩベースのＴＰＣコンポーネントはディセーブルされる（すなわちα＝０）。これによって、開ループＴＰＣだけがもたらされる。
【００４０】
ＵＬ共有データチャネル１６５では、ＷＴＲＵ  １０５は、１００Ｈｚなどの遅い更新レートの結合型開ループ／ＣＱＩベースＴＰＣに基づいて自らの送信電力を決定する。初期送信において、かつ／または送信休止中など、ｅＮｏｄｅＢ  １１０からＵＬ  ＣＱＩが得られない場合、ＣＱＩベース送信電力制御コンポーネントはディセーブルされ、開ループＴＰＣだけが使用される。
【００４１】
ＵＬ共有データチャネル１６５では、ＷＴＲＵ  １０５は、最大１０００Ｈｚなど、速い更新レートの結合型開ループ／ＣＱＩベースＴＰＣに基づいて自らの送信電力を決定する。送信休止中など、ｅＮｏｄｅＢ  １１０からＵＬ  ＣＱＩが得られない場合は、ＣＱＩベース送信電力制御コンポーネントはディセーブルされ、開ループＴＰＣだけが使用される。
【００４２】
ｅＮｏｄｅＢ  １１０は、その参照信号送信電力レベル、干渉レベルおよび電力マージンを含めて、ＴＰＣ関連のシステムパラメータをブロードキャストする。さらに、ｅＮｏｄｅＢ  １１０は、目標ＳＩＮＲ、ＷＴＲＵ最大電力レベルおよび最小電力レベルを含めて、ＴＰＣ関連のＷＴＲＵ特有のパラメータをＷＴＲＵ  １０５に知らせ、ただし、このシグナリングは、インバンド層１／２制御シグナリングによって行われる。目標ＳＩＮＲを調整するために、アウターループが使用されてもよい。
【００４３】
図２は、図１のシステム１００によって実施されてもよいＴＰＣ手順２００のフローチャートを示している。ステップ２０５で、初期ＵＬ送信段階が実施される。ＷＴＲＵ  １０５は、ＳＩＮＲ、ＩＮ0、Ｋ、およびＤＬ参照信号１７５の送信電力など、サービス側ｅＮｏｄｅＢ  １１０によって提供されるシステムパラメータに基づいて、（例えばＲＡＣＨ手順に類似の）初期ＵＬ送信段階の送信電力を設定するパスロスベースの開ループセル内ＴＰＣ手順を実施する（ステップ２１０）。ステップ２１５で、通常のＵＬ送信段階が実施される。ＷＴＲＵ  １０５は、サービス側ｅＮｏｄｅＢ  １１０によって提供されるシステムパラメータに基づいてパスロスベースの開ループセル内ＴＰＣ手順を実施し、サービス側ｅＮｏｄｅＢ  １１０によって提供されたＵＬ  ＣＱＩ（ＵＬ許可情報）に基づいて閉ループ（ＣＱＩベース）セル内ＴＰＣ手順を実施する（ステップ２２０）。任意選択で、ＷＴＲＵは、すべての隣接セル（ｅＮｏｄｅＢ）から受信された負荷指標（ＩｏＴ）に基づいて、ＩｏＴベースのセル間ＴＰＣ手順を実施する（ステップ２２５）。ステップ２３０で、ＷＴＲＵ  １０５は、ステップ２２０（および任意選択でステップ２２５）を実施することによって生成された値に基づいて、少なくとも１つのＵＬチャネル（例えばＵＬ共有データチャネル１６５、ＵＬ制御チャネル１７０）の送信電力を設定する。
【００４４】
実施形態
１．無線送受信装置（ＷＴＲＵ）の送信電力制御（ＴＰＣ）を実施する方法であって、
（ａ）ＷＴＲＵが、設定点パラメータを決定することによって開ループセル内ＴＰＣ手順を実施するステップと、
（ｂ）ＷＴＲＵが、閉ループ補正係数を使用することによって、開ループセル内ＴＰＣ手順によって決定された設定点パラメータを調整するための閉ループセル内ＴＰＣ手順を実施するステップと
を含む方法。
【００４５】
２．設定点パラメータは、ＷＴＲＵから、サービス側セルに常駐するサービス側進化型Ｎｏｄｅ  Ｂ（ｅＮｏｄｅＢ）までのアップリンク（ＵＬ）パスロスであり、
閉ループ補正係数は、設定点パラメータに関連する開ループＴＰＣ関連誤差を補償するために使用される実施形態１に記載の方法。
【００４６】
３．閉ループ補正係数は、アップリンク（ＵＬ）チャネル品質情報（ＣＱＩ）、および目標信号対干渉雑音比（ＳＩＮＲ）の関数である実施形態１および２のいずれか１つに記載の方法。
【００４７】
４．設定点パラメータは、サービス側セルに常駐するサービス側進化型Ｎｏｄｅ  Ｂ（ｅＮｏｄｅＢ）の目標信号対干渉雑音比（ＳＩＮＲ）であり、
閉ループ補正係数は、設定点パラメータに関連する開ループＴＰＣ関連誤差を補償するために使用される実施形態１および３のいずれか１つに記載の方法。
【００４８】
５．設定点パラメータは、サービス側セルに常駐するサービス側進化型Ｎｏｄｅ  Ｂ（ｅＮｏｄｅＢ）のＵＬ干渉および雑音電力（ＩＮ0）であり、
閉ループ補正係数は、設定点パラメータに関連する開ループＴＰＣ関連誤差を補償するために使用される実施形態１および３のいずれか１つに記載の方法。
【００４９】
６．設定点パラメータは、サービス側セルに常駐するサービス側進化型Ｎｏｄｅ  Ｂ（ｅＮｏｄｅＢ）の電力制御マージン（Ｋ）であり、
閉ループ補正係数は、設定点パラメータに関連する開ループＴＰＣ関連誤差を補償するために使用される実施形態１および３のいずれか１つに記載の方法。
【００５０】
７．送信電力制御（ＴＰＣ）を実施するための無線送受信装置（ＷＴＲＵ）であって、
（ａ）受信機と、
（ｂ）送信機と、
（ｃ）受信機および送信機に電気的に結合されたプロセッサであって、設定点パラメータを決定することによって開ループセル内ＴＰＣ手順を実施し、閉ループ補正係数を使用することによって、開ループセル内ＴＰＣ手順によって決定された設定点パラメータを調整するための閉ループセル内ＴＰＣ手順を実施するように構成されたプロセッサと
を含むＷＴＲＵ。
【００５１】
８．設定点パラメータは、ＷＴＲＵから、サービス側セルに常駐するサービス側進化型Ｎｏｄｅ  Ｂ（ｅＮｏｄｅＢ）までのアップリンク（ＵＬ）パスロス、ＰＬであり、
閉ループ補正係数は、設定点パラメータに関連する開ループＴＰＣ関連誤差を補償するために使用される実施形態７に記載のＷＴＲＵ。
【００５２】
９．閉ループ補正係数は、アップリンク（ＵＬ）チャネル品質情報、および目標信号対干渉雑音比（ＳＩＮＲ）の関数である実施形態７および８のいずれか１つに記載のＷＴＲＵ。
【００５３】
１０．設定点パラメータは、サービス側セルに常駐するサービス側進化型Ｎｏｄｅ  Ｂ（ｅＮｏｄｅＢ）の目標信号対干渉雑音比（ＳＩＮＲ）であり、
閉ループ補正係数は、設定点パラメータに関連する開ループＴＰＣ関連誤差を補償するために使用される実施形態７および９のいずれか１つに記載のＷＴＲＵ。
【００５４】
１１．設定点パラメータは、サービス側セルに常駐するサービス側進化型Ｎｏｄｅ  Ｂ（ｅＮｏｄｅＢ）のＵＬ干渉および雑音電力（ＩＮ0）であり、
閉ループ補正係数は、設定点パラメータに関連する開ループＴＰＣ関連誤差を補償するために使用される実施形態７および９のいずれか１つに記載のＷＴＲＵ。
【００５５】
１２．設定点パラメータは、サービス側セルに常駐するサービス側進化型Ｎｏｄｅ  Ｂ（ｅＮｏｄｅＢ）の電力制御マージン（Ｋ）であり、
閉ループ補正係数は、設定点パラメータに関連する開ループＴＰＣ関連誤差を補償するために使用される実施形態７および９のいずれか１つに記載のＷＴＲＵ。
【００５６】
１３．無線送受信装置（ＷＴＲＵ）の送信電力制御（ＴＰＣ）を実施する方法であって、
（ａ）ＷＴＲＵが、ＷＴＲＵから、サービス側セルに常駐するサービス側進化型Ｎｏｄｅ  Ｂ（ｅＮｏｄｅＢ）までの周期的アップリンク（ＵＬ）パスロス測定値に基づいて開ループセル内ＴＰＣ手順を実施するステップと、
（ｂ）ＷＴＲＵが、サービス側ｅＮｏｄｅＢによってＷＴＲＵに提供されたＵＬチャネル品質情報（ＣＱＩ）に基づいて閉ループセル内ＴＰＣ手順を実施するステップと、
（ｃ）ＷＴＲＵが、開ループセル内ＴＰＣ手順および閉ループセル内ＴＰＣ手順を実施することによって生成されたパラメータ値の組合せに基づいて少なくとも１つのＵＬチャネルの送信電力レベルを設定するステップと
を含む方法。
【００５７】
１４．（ｄ）ＷＴＲＵがＵＬ干渉／熱雑音（ＩｏＴ）ベースのセル間ＴＰＣ手順を実施するステップをさらに含み、
ステップ（ｃ）は、前記ＷＴＲＵが、開ループセル内ＴＰＣ手順、閉ループセル内ＴＰＣ手順、およびＩｏＴベースセル間ＴＰＣ手順を実施することによって生成されたパラメータ値の組合せに基づいて少なくとも１つのＵＬチャネルの送信電力を設定するステップをさらに含む実施形態１３に記載の方法。
【００５８】
１５．少なくとも１つのＵＬチャネルはＵＬ共有データチャネルを含む実施形態１３および１４のいずれか１つに記載の方法。
【００５９】
１６．少なくとも１つのＵＬチャネルはＵＬ制御チャネルを含む実施形態１３および１４のいずれか１つに記載の方法。
【００６０】
１７．（ｅ）ＷＴＲＵのための初期ＵＬ送信段階を実施するステップをさらに含む実施形態１４に記載の方法。
【００６１】
１８．ステップ（ａ）はさらに、
（ａ１）サービス側ｅＮｏｄｅＢが、複数の開ループパラメータをＷＴＲＵに知らせるステップであって、開ループパラメータは個々にまたは単一の合成パラメータとして知らされる、ステップと、
（ａ２）次式のように、ダウンリンク（ＤＬ）参照信号、およびサービス側ｅＮｏｄｅＢによって送信された開ループパラメータに基づいてＷＴＲＵの送信電力、ＰTxを決定するステップと
を含み、
該式は、
ＰTx＝ｍａｘ（ｍｉｎ（ＳＩＮＲT＋ＰＬ＋ＩＮ0＋Ｋ，Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ＰmaxおよびＰminは、少なくとも１つのＵＬチャネルを介してＷＴＲＵによって行われる送信のそれぞれ最大および最小の送信電力レベル（ｄＢｍ）である実施形態１７に記載の方法。
【００６２】
１９．ステップ（ｄ）はさらに、
（ａ１）次式のように、サービス側ｅＮｏｄｅＢによって送信されたダウンリンク（ＤＬ）参照信号に基づいてＷＴＲＵの送信電力、ＰTxを決定するステップを含み、
該式は、
ＰTx＝ｍａｘ（ｍｉｎ（ＳＩＮＲT＋ＰＬ＋ＩＮ0＋Ｋ＋Δ（ＩｏＴs），Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ＰmaxおよびＰminは、少なくとも１つのＵＬチャネルを介してＷＴＲＵによって行われる送信のそれぞれ最大および最小の送信電力レベル（ｄＢｍ）であり、
Δ（ＩｏＴs）は、最も強い隣接セルのＵＬ干渉負荷指標、ＩｏＴsの関数であるＵＬ負荷制御ステップサイズを表す実施形態１７に記載の方法。
【００６３】
２０．ステップ（ａ）はさらに、
（ａ１）ＷＴＲＵが、初期ＵＬ送信段階の送信電力を設定するパスロスベースの開ループセル内ＴＰＣ手順を実施するステップを含む実施形態１７に記載の方法。
【００６４】
２１．ＵＬ  ＣＱＩはＵＬ許可情報である実施形態１３〜２０のいずれか１つに記載の方法。
【００６５】
２２．ステップ（ｄ）はさらに、
（ｄ１）ｅＮｏｄｅＢがＵＬ干渉レベルを測定するステップと、
（ｄ２）ｅＮｏｄｅＢが、測定されたＵＬ干渉レベルが事前定義された閾値を超えるかどうか判断するステップと、
（ｄ３）ｅＮｏｄｅＢが、測定されたＵＬ干渉レベルが事前定義された閾値を超えるかどうか示す干渉負荷指標を定期的にまたはトリガベースでブロードキャストするステップと
を含む実施形態１４に記載の方法。
【００６６】
２３．測定されたＵＬ干渉レベルはＵＬ干渉／熱雑音（ＩｏＴ）測定値である実施形態２２に記載の方法。
【００６７】
２４．ステップ（ａ）および（ｂ）はステップ（ｅ）の後に実行され、ステップ（ｂ）はさらに、
（ｂ１）次式のようにＷＴＲＵ送信電力を計算するステップを含み、
該式は、
ＰLx＝ｍａｘ（ｍｉｎ（ＳＩＮＲT＋ＰＬ＋ＩＮ0＋Ｋ＋α・ｆ（ＣＱＩ，ＳＩＮＲT），Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ｆ（ＣＱＩ，ＳＩＮＲT）は、ＵＬ  ＣＱＩおよび対応する目標ＳＩＮＲに基づく閉ループ補正係数であり、
αは重み付け係数であり、
ＰmaxおよびＰminは、少なくとも１つのＵＬチャネルを介してＷＴＲＵによって行われる送信のそれぞれ最大および最小の送信電力レベル（ｄＢｍ）である実施形態１７に記載の方法。
【００６８】
２５．０≦α≦１である実施形態２４に記載の方法。
【００６９】
２６．閉ループ補正係数、ｆ（ＣＱＩ，ＳＩＮＲT）は、開ループＴＰＣ関連誤差を補償するために使用される実施形態２４および２５のいずれか１つに記載の方法。
【００７０】
２７．閉ループ補正係数、ｆ（ＣＱＩ，ＳＩＮＲT）は、ＵＬ  ＣＱＩがｅＮｏｄｅＢで受信されたＳＩＮＲを表すという事実を考慮して、サービス側ｅＮｏｄｅＢからのＵＬ  ＣＱＩフィードバックに従ってＷＴＲＵによって、
ｆ（ＣＱＩ，ＳＩＮＴT）＝ＳＩＮＲT−Ｅ｛ＳＩＮＲest（ＣＱＩ）｝（ｄＢ）
となるように計算され、ただし、ＳＩＮＲest（ＣＱＩ）は、ＷＴＲＵがＵＬ  ＣＱＩフィードバックから導出するｅＮｏｄｅＢ受信ＳＩＮＲ推定値を表す実施形態２４〜２６のいずれか１つに記載の方法。
【００７１】
２８．Ｅ｛ＳＩＮＲest（ＣＱＩ）｝は、次式となるような推定ＳＩＮＲの経時的な平均値を示し、
Ｅ｛ＳＩＮＲest（ＣＱＩk）｝＝ρ・Ｅ｛ＳＩＮＲest（ＣＱＩk-1）｝＋（１−ρ）・Ｅ｛ＳＩＮＲest（ＣＱＩk）｝、
ただし、ＣＱＩkは第ｋの受信ＣＱＩを表し、０≦ρ≦１として、ρは平均フィルタ係数である実施形態２７に記載の方法。
【００７２】
２９．送信電力制御（ＴＰＣ）を実施するための無線送受信装置（ＷＴＲＵ）であって、
（ａ）受信機と、
（ｂ）受信機に電気的に結合されたプロセッサであって、ＷＴＲＵから、サービス側セルに常駐するサービス側進化型Ｎｏｄｅ  Ｂ（ｅＮｏｄｅＢ）までの周期的アップリンク（ＵＬ）パスロス測定値に基づいて開ループセル内ＴＰＣ手順を実施し、サービス側ｅＮｏｄｅＢから受信機によって受信されたＵＬチャネル品質情報（ＣＱＩ）に基づいて閉ループセル内ＴＰＣ手順を実施するように構成されたプロセッサと、
（ｃ）プロセッサに電気的に結合された送信機であって、開ループセル内ＴＰＣ手順および閉ループセル内ＴＰＣ手順を実施することによって生成されたパラメータ値の組合せに基づく送信電力レベルを有する少なくとも１つのＵＬチャネルを生成するように構成された送信機と
を含むＷＴＲＵ。
【００７３】
３０．プロセッサはＵＬ干渉／熱雑音（ＩｏＴ）ベースのセル間ＴＰＣ手順を実施するように構成され、送信機は開ループセル内ＴＰＣ手順、閉ループセル内ＴＰＣ手順、およびＩｏＴベースセル間ＴＰＣ手順を実施することによって生成されたパラメータ値の組合せに基づく送信電力レベルを有する少なくとも１つのＵＬチャネルを生成するように構成される実施形態２９に記載のＷＴＲＵ。
【００７４】
３１．少なくとも１つのＵＬチャネルはＵＬ共有データチャネルを含む実施形態２９および３０のいずれか１つに記載のＷＴＲＵ。
【００７５】
３２．少なくとも１つのＵＬチャネルはＵＬ制御チャネルを含む実施形態２９および３０のいずれか１つに記載のＷＴＲＵ。
【００７６】
３３．受信機は、サービス側ｅＮｏｄｅＢによる前記ＷＴＲＵへのシグナリングによって知らされた複数の開ループパラメータを受信するように構成され、開ループパラメータは個々にまたは単一の合成パラメータとして知らされ、プロセッサは、次式のように、ダウンリンク（ＤＬ）参照信号、およびサービス側ｅＮｏｄｅＢによって送信された開ループパラメータに基づいてＷＴＲＵの送信電力、ＰTxを決定するように構成され、
該式は、
ＰTx＝ｍａｘ（ｍｉｎ（ＳＩＮＲT＋ＰＬ＋ＩＮ0＋Ｋ，Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ＰmaxおよびＰminは、少なくとも１つのＵＬチャネルを介してＷＴＲＵによって行われる送信のそれぞれ最大および最小の送信電力レベル（ｄＢｍ）である実施形態２９〜３２のいずれか１つに記載のＷＴＲＵ。
【００７７】
３４．プロセッサは、次式のように、サービス側ｅＮｏｄｅＢによって送信されたダウンリンク（ＤＬ）参照信号に基づいてＷＴＲＵの送信電力、ＰTxを決定するように構成され、
該式は、
ＰTx＝ｍａｘ（ｍｉｎ（ＳＩＮＲT＋ＰＬ＋ＩＮ0＋Ｋ＋Δ（ＩｏＴs），Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ＰmaxおよびＰminは、少なくとも１つのＵＬチャネルを介してＷＴＲＵによって行われる送信のそれぞれ最大および最小の送信電力レベル（ｄＢｍ）であり、
Δ（ＩｏＴs）は、最も強い隣接セルのＵＬ干渉負荷指標、ＩｏＴsの関数であるＵＬ負荷制御ステップサイズを表す実施形態３０に記載のＷＴＲＵ。
【００７８】
３５．プロセッサは、初期ＵＬ送信段階の送信電力を設定するパスロスベースの開ループセル内ＴＰＣ手順を実施するように構成される実施形態２９〜３４のいずれか１つに記載のＷＴＲＵ。
【００７９】
３６．ＵＬ  ＣＱＩはＵＬ許可情報である実施形態２９〜３５のいずれか１つに記載のＷＴＲＵ。
【００８０】
３７．プロセッサは、次式のようにＷＴＲＵ送信電力を計算するように構成され、
該式は、
ＰLx＝ｍａｘ（ｍｉｎ（ＳＩＮＲT＋ＰＬ＋ＩＮ0＋Ｋ＋α・ｆ（ＣＱＩ，ＳＩＮＲT），Ｐmax），Ｐmin）、
であり、ただし、ＳＩＮＲTは、サービス側ｅＮｏｄｅＢのｄＢ単位の目標信号対干渉雑音比（ＳＩＮＲ）であり、
ＰＬは、ＤＬ参照信号に基づくサービス側ｅＮｏｄｅＢからＷＴＲＵまでのシャドウイングを含めたｄＢ単位のパスロスであり、
ＩＮ0は、サービス側ｅＮｏｄｅＢのｄＢｍ単位のＵＬ干渉および雑音電力であり、
Ｋは、サービス側ｅＮｏｄｅＢのために使用される電力制御マージンであり、
ｆ（ＣＱＩ，ＳＩＮＲT）は、ＵＬ  ＣＱＩおよび対応する目標ＳＩＮＲに基づく閉ループ補正係数であり、
αは重み付け係数であり、
ＰmaxおよびＰminは、少なくとも１つのＵＬチャネルを介してＷＴＲＵによって行われる送信のそれぞれ最大および最小の送信電力レベル（ｄＢｍ）である実施形態２９〜３６のいずれか１つに記載のＷＴＲＵ。
【００８１】
３８．０≦α≦１である実施形態３７に記載のＷＴＲＵ。
【００８２】
３９．閉ループ補正係数、ｆ（ＣＱＩ，ＳＩＮＲT）は開ループＴＰＣ関連誤差を補償するために使用される実施形態３７および３８のいずれか１つに記載のＷＴＲＵ。
【００８３】
４０．閉ループ補正係数、ｆ（ＣＱＩ，ＳＩＮＲT）は、ＵＬ  ＣＱＩがｅＮｏｄｅＢで受信されたＳＩＮＲを表すという事実を考慮して、サービス側ｅＮｏｄｅＢからのＵＬ  ＣＱＩフィードバックに従ってＷＴＲＵによって、
ｆ（ＣＱＩ，ＳＩＮＴT）＝ＳＩＮＲT−Ｅ｛ＳＩＮＲest（ＣＱＩ）｝（ｄＢ）
となるように計算され、ただし、ＳＩＮＲest（ＣＱＩ）は、ＷＴＲＵがＵＬ  ＣＱＩフィードバックから導出するｅＮｏｄｅＢ受信ＳＩＮＲ推定値を表す実施形態３７〜３９のいずれか１つに記載のＷＴＲＵ。
【００８４】
４１．Ｅ｛ＳＩＮＲest（ＣＱＩ）｝は、次式となるような推定ＳＩＮＲの経時的な平均値を示し、
該式は、
Ｅ｛ＳＩＮＲest（ＣＱＩk）｝＝ρ・Ｅ｛ＳＩＮＲest（ＣＱＩk-1）｝＋（１−ρ）・Ｅ｛ＳＩＮＲest（ＣＱＩk）｝、
であり、ただし、ＣＱＩkは第ｋの受信ＣＱＩを表し、０≦ρ≦１として、ρは平均フィルタ係数である実施形態４０に記載のＷＴＲＵ。
【００８５】
４２．送信電力制御（ＴＰＣ）を実施するための進化型Ｎｏｄｅ  Ｂ（ｅＮｏｄｅＢ）であって、
（ａ）アップリンク（ＵＬ）干渉レベルを測定し、測定されたＵＬ干渉レベルが事前定義された閾値を超えるかどうか判断するように構成されたプロセッサと、
（ｂ）プロセッサに電気的に結合された送信機であって、測定されたＵＬ干渉レベルが事前定義された閾値を超えるかどうか示す干渉負荷指標を定期的に、またはトリガベースでブロードキャストするように構成された送信機と
を含むｅＮｏｄｅＢ。
【００８６】
４３．測定されたＵＬ干渉レベルはＵＬ干渉／熱雑音（ＩｏＴ）測定値である実施形態４２に記載のｅＮｏｄｅＢ。
【００８７】
４４．送信機は、ｅＮｏｄｅＢからＷＴＲＵまでの距離および所与の品質要件のうちの少なくとも１つの関数として目標信号対干渉雑音比（ＳＩＮＲ）レベル、ＳＩＮＲTを無線送受信装置（ＷＴＲＵ）に知らせるように構成される実施形態４２に記載のｅＮｏｄｅＢ。
【００８８】
４５．所与の品質要件はブロック誤り率（ＢＬＥＲ）である実施形態４４に記載のｅＮｏｄｅＢ。
【００８９】
４６．（ｃ）目標品質値を目標ＳＩＮＲ値にマッピングするためにマッピングテーブルを使用するように構成されたプロセッサに電気的に結合されたマッピングテーブルをさらに含む実施形態４２〜４５のいずれか１つに記載のｅＮｏｄｅＢ。
【００９０】
４７．目標品質値はブロック誤り率（ＢＬＥＲ）である実施形態４６に記載のｅＮｏｄｅＢ。
【００９１】
４８．送信機はダウンリンク（ＤＬ）参照信号を生成するように構成される実施形態４２〜４７のいずれか１つに記載のｅＮｏｄｅＢ。
【００９２】
４９．送信機は、電力制御マージン、Ｋを知らせるように構成される実施形態４２〜４８のいずれか１つに記載のｅＮｏｄｅＢ。
【００９３】
５０．電力制御マージン、Ｋは、
ＳＩＮＲT（組込み後）＝ＳＩＮＲT＋Ｋ（ｄＢ）
となるように、目標ＳＩＮＲ、ＳＩＮＲTに組み込まれる実施形態４９に記載のｅＮｏｄｅＢ。
【００９４】
５１．プロセッサは、総ＵＬ干渉、および使用中の副搬送波のすべて、または副搬送波のサブセットにわたってプロセッサによって平均された雑音レベル、ＩＮ0を測定しまたは推定するように構成され、送信機は、ＩＮ0を知らせるように構成される実施形態４２〜５０のいずれか１つに記載のｅＮｏｄｅＢ。
【００９５】
５２．送信機は、最大および最小のＵＬ送信電力レベル、ＰmaxおよびＰminを知らせるように構成される実施形態４２〜５１に記載のｅＮｏｄｅＢ。
【００９６】
５３．送信機は、ＵＬチャネル品質情報（ＣＱＩ）を知らせるように構成される実施形態４２〜５２のいずれか１つに記載のｅＮｏｄｅＢ。
【００９７】
５４．ＵＬ  ＣＱＩは、ＵＬ許可情報、または元来ＵＬリンク適応のために知らされる変調符号化セット（ＭＣＳ）情報を含む実施形態５３に記載のｅＮｏｄｅＢ。
【００９８】
５５．送信機は、ＣＱＩフィードバック生成に使用されるチャネル品質情報（ＣＱＩ）マッピング規則を知らせるように構成される実施形態４２〜５４のいずれか１つに記載のｅＮｏｄｅＢ。
【００９９】
本発明の特徴および要素について、諸実施形態において特定の組合せで述べたが、それぞれの特徴または要素は、好ましい実施形態の他の特徴および要素なしで単独に使用してもよいし、本発明の他の特徴および要素を伴うまたは伴わない様々な組合せで使用してもよい。本明細書で提供される方法またはフローチャートは、コンピュータプログラム、ソフトウェア、あるいは汎用コンピュータまたはプロセッサによって実行するためにコンピュータ読取り可能記憶媒体内に有形に具現化されたファームウェアで実施されてもよい。コンピュータ読取り可能記憶媒体の例には、ＲＯＭ（read only memory）、ＲＡＭ（random access memory）、レジスタ、キャッシュメモリ、半導体記憶装置、内部ハードディスクおよび取外し可能ディスクなどの磁気媒体、磁気光媒体、ならびにＣＤ−ＲＯＭディスクおよびデジタル多用途ディスク（ＤＶＤ：digital versatile disk）などの光媒体が含まれる。
【０１００】
適切なプロセッサには、例を挙げると、汎用プロセッサ、特別目的プロセッサ、従来型プロセッサ、デジタル信号プロセッサ（ＤＳＰ：digital signal processor）、複数のマイクロプロセッサ、ＤＳＰコアに関連する１つまたは複数のマイクロプロセッサ、コントローラ、マイクロコントローラ、特定用途向け集積回路（ＡＳＩＣ：Application Specific Integrated Circuit）、フィールドプログラマブルゲートアレイ（ＦＰＧＡ：Field Programmable Gate Array）回路、他の任意のタイプの集積回路（ＩＣ：integrated circuit）および／またはステートマシンが含まれる。
【０１０１】
無線送受信装置（ＷＴＲＵ）、ユーザ装置（ＵＥ：user equipment）、端末、基地局、無線ネットワーク制御装置（ＲＮＣ：radio network controller）または任意のホストコンピュータで使用する無線周波数トランシーバを実装するために、ソフトウェアに関連するプロセッサが使用されてもよい。ＷＴＲＵは、カメラ、ビデオカメラモジュール、テレビ電話、スピーカフォン、振動装置、スピーカ、マイクロホン、テレビトランシーバ、ハンズフリーヘッドセット、キーボード、Ｂｌｕｅｔｏｏｔｈ（登録商標）モジュール、周波数変調（ＦＭ：frequency modulated）無線装置、液晶ディスプレイ（ＬＣＤ：liquid crystal display）表示装置、有機発光ダイオード（ＯＬＥＤ：organic light-emitting diode）表示装置、デジタル音楽プレイヤー、メディアプレイヤー、ビデオゲームプレイヤーモジュール、インターネットブラウザ、および／または任意の無線ローカルエリアネットワーク（ＷＬＡＮ：wireless local area network）モジュールなど、ハードウェアおよび／またはソフトウェアで実装されたモジュールと共に使用されてもよい。
【図１】
0005271854.tif 000005
【図２】
0005271854.tif 000006